【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
縦続接続された複数のレジスタ回路からなる複数段のシフトレジスタであって、
前記各レジスタ回路は、
前段の出力信号が入力信号として印加され、次段の出力信号がリセット信号として入力され、前記入力信号に基づく第１の信号を出力する保持回路と、
前記第１の信号に基づく電圧が印加され、該第１の信号に基づく信号を前記出力信号として出力する出力回路と、
を備え、
前記保持回路は、
前記入力信号が印加される入力端子と、
前記リセット信号が印加されるリセット端子と、を有し、
２つの電圧レベルを交互に有する第１のクロック信号と所定の基準電位の電圧とが印加され、
前記入力信号が前記入力端子に印加されたとき、前記第１のクロック信号の信号レベルに応じた電圧を前記第１の信号として出力し、前記リセット信号が前記リセット端子に印加されたとき、前記基準電位に応じた電圧を前記第１の信号として出力する手段を有し、
前記出力回路が前記出力信号を出力する出力期間における前記第１のクロック信号の電位と前記出力期間における前記入力信号の電位とが等電位に設定されていることを特徴とするシフトレジスタ。
【請求項２】
前記保持回路は、第１の電流路と第１の制御端子を有し、前記第１の電流路の一端に前記第１のクロック信号が印加され、前記第１の制御端子が前記入力端子に接続された第１の薄膜トランジスタと、
第２の電流路と第２の制御端子を有し、前記第２の電流路の一端が前記第１の薄膜トランジスタの前記第１の電流路の他端に接続され、前記第２の電流路の他端が前記基準電位に接続され、前記第２の制御端子が前記リセット端子に接続された第２の薄膜トランジスタと、
を有することを特徴とする請求項１に記載のシフトレジスタ。
【請求項３】
前記第１のクロック信号は電圧レベルとして、前記基準電位より高い電位を有する第１の電圧と、前記第１の電圧より低い電位の第２の電圧と、を有して、前記保持回路に対して前記入力信号は前記第１のクロック信号が前記第１の電圧であるときに印加され、
前記保持回路は、前記入力信号が印加されたとき、前記第１の信号の電圧を前記第１の電圧に応じた電圧とし、次に前記リセット信号が印加されるまでの前記第１の信号の電圧を、前記第１の電圧に応じた電圧又はそれ以上の電位の電圧に保持することを特徴とする請求項１又は２に記載のシフトレジスタ。
【請求項４】
前記出力回路は、２つの電圧レベルを交互に有する第２のクロック信号と、前記基準電位と、が印加され、前記出力信号を出力する出力端子を有し、
前記第２のクロック信号は電圧レベルとして、前記基準電位より高い電位を有する第３の電圧と、前記基準電位以上で前記第３の電圧より低い電位の第４の電圧と、を有し、前記第１のクロック信号が前記第１の電圧である期間と前記第２のクロック信号が前記第３の電圧である期間とは重ならないタイミングに設定され、
前記第１の信号の信号レベルが前記第１の電圧に応じた電圧又はそれ以上の電位の電圧であるとき、前記出力信号の信号レベルを前記第２のクロック信号の信号レベルに近づけるように変化させ、前記第１の信号の信号レベルが前記基準電圧に応じた電圧であるとき、前記出力信号の信号レベルを前記基準電位に応じた電圧にする手段を有することを特徴とする請求項３に記載のシフトレジスタ。
【請求項５】
前記出力回路は、第３の電流路と第３の制御端子を有し、前記第３の電流路の一端に前記第２のクロック信号が印加され、前記第３の電流路の他端が前記出力端子に接続され、前記第３の制御端子に前記第１の信号が印加される第３の薄膜トランジスタと、
一端が前記第３の薄膜トランジスタの前記第３の制御端子に接続され、他端が前記第３の薄膜トランジスタの前記第３の電流路の他端に接続された容量成分と、
を有することを特徴とする請求項３に記載のシフトレジスタ。
【請求項６】
縦続接続された複数のレジスタ回路からなる複数段のシフトレジスタであって、
前記各レジスタ回路は、
前段の出力信号が入力信号として印加され、次段の出力信号がリセット信号として入力され、前記入力信号に基づく第１の信号を出力する保持回路と、
前記第１の信号と前記第１の信号の反転信号に対応する第２の信号とが印加され、該第１の信号に基づく信号を前記出力信号として出力する出力回路と、
前記第１の信号が印加され、前記第２の信号を出力するインバータ回路と、
を備え、
前記保持回路は、少なくとも、前記基準電位より高い電位を有する第１の電圧と、前記基準電位以上で前記第１の電圧より低い電位の第２の電圧とを有する信号を前記第１の信号として出力し、
前記インバータ回路は、
２つの電圧レベルを交互に有する第１のクロック信号と、所定の基準電位の電圧と、が印加され、
前記第１の信号の信号レベルが前記第１の電圧又はそれより高い電位の電圧であるとき、前記第２の信号の信号レベルを前記基準電位に応じた電圧に変化させ、前記第１の信号の信号レベルが前記第２の電圧であるとき、前記第２の信号の信号レベルを、前記第１のクロック信号の電圧のレベルに応じた電圧に変化させる手段を有し、
前記第１のクロック信号は、前記入力信号が印加される入力期間において、前記第２の信号より高い電圧に設定され、前記入力期間と前記リセット信号が入力されるリセット期間及び前記出力信号を出力する出力期間を除く期間において、前記第２の信号より低い電位に設定される期間を有することを特徴とするシフトレジスタ。
【請求項７】
前記インバータ回路は、第４の電流路と第４の制御端子を有し、前記第４の電流路の一端に前記第１のクロック信号が印加され、前記第４の制御端子が前記第４の電流路の一端に接続された第４の薄膜トランジスタと、
第５の電流路と第５の制御端子を有し、前記第５の電流路の一端が前記第４の薄膜トランジスタの前記第４の電流路の他端に接続されて前記第２の信号を出力し、前記第５の電流路の他端が前記基準電位に接続され、前記第５の制御端子に前記第１の信号が印加される第５の薄膜トランジスタと、
を有することを特徴とする請求項６に記載のシフトレジスタ。
【請求項８】
前記出力回路は、前記出力信号を出力する出力端子を有し、
２つの電圧レベルを交互に有する第２のクロック信号と、前記基準電位と、が印加され、
前記第１のクロック信号は電圧レベルとして、前記基準電位より高い電位を有する第１の電圧と、前記第１の電圧より低い電位の第２の電圧と、を有して、前記保持回路に対して前記入力信号は前記第１のクロック信号が前記第１の電圧であるときに印加され、
前記第２のクロック信号は電圧レベルとして、前記基準電位より高い電位を有する第３の電圧と、前記基準電位以上で前記第３の電圧より低い電位の第４の電圧と、を有し、前記第１のクロック信号が前記第１の電圧である期間と前記第２のクロック信号が前記第３の電圧である期間とは重ならないタイミングに設定され、
前記第１の信号の信号レベルが前記第１の電圧又はそれより高い電位の電圧であり、前記第２の信号の信号レベルが前記基準電位に応じた電圧であるとき、前記出力信号の信号レベルを前記第２のクロック信号の信号レベルに近づけ、
前記第１の信号の信号レベルが前記基準電圧に応じた電圧であり、前記第２の信号の信号レベルが前記第１の電圧に応じた電圧であるとき、前記出力信号の信号レベルを前記基準電位に応じた電圧にする手段を有することを特徴とする請求項６に記載のシフトレジスタ。
【請求項９】
前記出力回路は、第６の電流路と第６の制御端子を有し、前記第６の電流路の一端に前記第２のクロック信号が印加され、前記第６の電流路の他端が前記出力端子に接続され、前記第６の制御端子に前記第１の信号が印加される第６の薄膜トランジスタと、
第７の電流路と第７の制御端子を有し、前記第７の電流路の一端が前記第６の薄膜トランジスタの前記第６の電流路の他端に接続され、前記第７の電流路の他端が前記基準電位に接続され、前記第７の制御端子に前記第２の信号が印加される第７の薄膜トランジスタと、
一端が前記第６の薄膜トランジスタの前記第６の制御端子に接続され、他端が前記第６の薄膜トランジスタの前記第６の電流路の他端に接続された容量成分と、
を有することを特徴とする請求項８に記載のシフトレジスタ。
【請求項１０】
前記保持回路は、２つの電圧レベルを交互に有する第１のクロック信号と所定の基準電位とが印加され、
前記入力信号が印加されたとき、前記第１のクロック信号の信号レベルに応じた電圧を前記第１の信号として出力し、前記リセット信号が印加されたとき、前記基準電位に応じた電圧を前記第１の信号として出力する手段と、
前記入力信号及び前記リセット信号が前記入力端子及び前記リセット端子に印加されていないとき、前記第１の信号の信号レベルをそれ以前の信号レベルに基づく電圧にする手段と、
を有することを特徴とする請求項６に記載のシフトレジスタ。
【請求項１１】
前記保持回路は、所定の電圧レベルを有する電源電圧と所定の基準電位とが印加され、
前記入力信号が印加されたとき、前記電源電圧の電圧レベルに応じた電圧を前記第１の信号として出力し、前記リセット信号が印加されたとき、前記基準電位に応じた電圧を前記第１の信号として出力する手段と、
前記入力信号及び前記リセット信号が前記入力端子及び前記リセット端子に印加されていないとき、前記第１の信号の信号レベルをそれ以前の信号レベルに基づく電圧にする手段と、
を有することを特徴とする請求項６に記載のシフトレジスタ。
【請求項１２】
マトリクス状に配置された複数の表示素子と、
所定の方向に並んだ前記表示素子を接続する複数の走査ラインと、
請求項１から請求項１１までのいずれか１項に記載のシフトレジスタを含み、当該シフトレジスタに含まれる個々のレジスタ回路の出力端子が個々の前記走査ラインに接続された走査ドライバと、
を備えることを特徴とする表示装置。
【手続補正２】
【補正対象書類名】明細書
【補正対象項目名】００１１
【補正方法】変更
【補正の内容】
【００１１】
請求項１に記載の発明は、縦続接続された複数のレジスタ回路からなる複数段のシフトレジスタであって、前記各レジスタ回路は、前段の出力信号が入力信号として印加され、次段の出力信号がリセット信号として入力され、前記入力信号に基づく第１の信号を出力する保持回路と、前記第１の信号に基づく電圧が印加され、該第１の信号に基づく信号を前記出力信号として出力する出力回路と、を備え、前記保持回路は、前記入力信号が印加される入力端子と、前記リセット信号が印加されるリセット端子と、を有し、２つの電圧レベルを交互に有する第１のクロック信号と所定の基準電位の電圧とが印加され、前記入力信号が前記入力端子に印加されたとき、前記第１のクロック信号の信号レベルに応じた電圧を前記第１の信号として出力し、前記リセット信号が前記リセット端子に印加されたとき、前記基準電位に応じた電圧を前記第１の信号として出力する手段を有し、前記出力回路が前記出力信号を出力する出力期間における前記第１のクロック信号の電位と前記出力期間における前記入力信号の電位とが等電位に設定されていることを特徴とする。
【手続補正３】
【補正対象書類名】明細書
【補正対象項目名】００１２
【補正方法】変更
【補正の内容】
【００１２】
請求項２に記載の発明は、請求項１に記載のシフトレジスタにおいて、前記保持回路は、第１の電流路と第１の制御端子を有し、前記第１の電流路の一端に前記第１のクロック信号が印加され、前記第１の制御端子が前記入力端子に接続された第１の薄膜トランジスタと、第２の電流路と第２の制御端子を有し、前記第２の電流路の一端が前記第１の薄膜トランジスタの前記第１の電流路の他端に接続され、前記第２の電流路の他端が前記基準電位に接続され、前記第２の制御端子が前記リセット端子に接続された第２の薄膜トランジスタと、を有することを特徴とする。
【手続補正４】
【補正対象書類名】明細書
【補正対象項目名】００１５
【補正方法】変更
【補正の内容】
【００１５】
請求項５に記載の発明は、請求項３に記載のシフトレジスタにおいて、前記出力回路は、第３の電流路と第３の制御端子を有し、前記第３の電流路の一端に前記第２のクロック信号が印加され、前記第３の電流路の他端が前記出力端子に接続され、前記第３の制御端子に前記第１の信号が印加される第３の薄膜トランジスタと、一端が前記第３の薄膜トランジスタの前記第３の制御端子に接続され、他端が前記第３の薄膜トランジスタの前記第３の電流路の他端に接続された容量成分と、を有することを特徴とする。
【手続補正５】
【補正対象書類名】明細書
【補正対象項目名】００１６
【補正方法】変更
【補正の内容】
【００１６】
請求項６に記載の発明は、縦続接続された複数のレジスタ回路からなる複数段のシフトレジスタであって、前記各レジスタ回路は、前段の出力信号が入力信号として印加され、次段の出力信号がリセット信号として入力され、前記入力信号に基づく第１の信号を出力する保持回路と、前記第１の信号と前記第１の信号の反転信号に対応する第２の信号とが印加され、該第１の信号に基づく信号を前記出力信号として出力する出力回路と、前記第１の信号が印加され、前記第２の信号を出力するインバータ回路と、を備え、前記保持回路は、少なくとも、前記基準電位より高い電位を有する第１の電圧と、前記基準電位以上で前記第１の電圧より低い電位の第２の電圧とを有する信号を前記第１の信号として出力し、前記インバータ回路は、２つの電圧レベルを交互に有する第１のクロック信号と、所定の基準電位の電圧と、が印加され、前記第１の信号の信号レベルが前記第１の電圧又はそれより高い電位の電圧であるとき、前記第２の信号の信号レベルを前記基準電位に応じた電圧に変化させ、前記第１の信号の信号レベルが前記第２の電圧であるとき、前記第２の信号の信号レベルを、前記第１のクロック信号の電圧のレベルに応じた電圧に変化させる手段を有し、前記第１のクロック信号は、前記入力信号が印加される入力期間において、前記第２の信号より高い電圧に設定され、前記入力期間と前記リセット信号が入力されるリセット期間及び前記出力信号を出力する出力期間を除く期間において、前記第２の信号より低い電位に設定される期間を有することを特徴とする。
【手続補正６】
【補正対象書類名】明細書
【補正対象項目名】００１７
【補正方法】変更
【補正の内容】
【００１７】
請求項７に記載の発明は、請求項６に記載のシフトレジスタにおいて、前記インバータ回路は、第４の電流路と第４の制御端子を有し、前記第４の電流路の一端に前記第１のクロック信号が印加され、前記第４の制御端子が前記第４の電流路の一端に接続された第４の薄膜トランジスタと、第５の電流路と第５の制御端子を有し、前記第５の電流路の一端が前記第４の薄膜トランジスタの前記第４の電流路の他端に接続されて前記第２の信号を出力し、前記第５の電流路の他端が前記基準電位に接続され、前記第５の制御端子に前記第１の信号が印加される第５の薄膜トランジスタと、を有することを特徴とする。
【手続補正７】
【補正対象書類名】明細書
【補正対象項目名】００１９
【補正方法】変更
【補正の内容】
【００１９】
請求項９に記載の発明は、請求項８に記載のシフトレジスタにおいて、前記出力回路は、第６の電流路と第６の制御端子を有し、前記第６の電流路の一端に前記第２のクロック信号が印加され、前記第６の電流路の他端が前記出力端子に接続され、前記第６の制御端子に前記第１の信号が印加される第６の薄膜トランジスタと、第７の電流路と第７の制御端子を有し、前記第７の電流路の一端が前記第６の薄膜トランジスタの前記第６の電流路の他端に接続され、前記第７の電流路の他端が前記基準電位に接続され、前記第７の制御端子に前記第２の信号が印加される第７の薄膜トランジスタと、一端が前記第６の薄膜トランジスタの前記第６の制御端子に接続され、他端が前記第６の薄膜トランジスタの前記第６の電流路の他端に接続された容量成分と、を有することを特徴とする。